(57)【特許請求の範囲】
【請求項１】
筐体である室内機本体と、
この室内機本体の内部に収容される熱交換器と、
この熱交換器の下部に設けられ、熱交換器で生成されるドレン水を受けるドレンパンと、
このドレンパン内に集溜するドレン水を汲み上げて外部へ排出するドレンポンプと、
上記ドレンパンの底面壁部位に設けられ、ドレンパンに残留するドレン水を排出するためのドレン口と、
このドレン口を開閉自在に閉塞する排水栓部材と、
この排水栓部材とドレンパンの底面壁との間に挟着され、ドレン口と排水栓部材との間からのドレン水の漏れを防止する、断面が略Ｘ字状に形成されるパッキンと
を具備し、
上記パッキンは、上記断面の中心に沿って形成される基部と、この基部の周面から所定角度を存して４方向に一体に突設される辺部とからなり、
この辺部の左右相互間の角度αは、上下相互間の角度βよりも大（α＞β）に形成され、各辺部の先端は、断面半円状の頂部を有するとともに、断面斜め直状に形成される
ことを特徴とする空気調和機の室内機。
【請求項２】
上記パッキンの全体高さ寸法Ｌに対して、上記基部の厚さ寸法Ｌａは、１／２〜１／３Ｌに形成されることを特徴とする請求項１記載の空気調和機の室内機。
【発明の詳細な説明】
【技術分野】
【０００１】
本発明の実施形態は、たとえば天井埋込み型とした空気調和機の室内機に関する。
【背景技術】
【０００２】
天井埋込み型とした空気調和機の室内機は、天井内に配置される室内機本体内部に、送風機と、熱交換器と、冷房運転時に熱交換器で生成されるドレン水を受けるドレンパンと、このドレンパンに溜ったドレン水を、ドレンホースを介して屋外へ排出するためのドレンポンプ等を備えている。
【０００３】
さらにドレンパンには、ドレンホースの詰まりやドレンポンプの故障の際にドレンパンに溜ったドレン水を機外へ強制的に排出するため、あるいは長期に亘る使用によりドレンパン内に生成し蓄積された水垢状物質を除去する等のメンテナンス作業のために、ドレン口が設けられ、ドレン口にはドレンキャップが着脱自在で水密的に固定される。
【特許文献１】特開２００７−８５６９０号公報
【発明の概要】
【発明が解決しようとする課題】
【０００４】
ドレンキャップとドレン口からのドレン水漏れ防止ためのパッキンとして、Ｏリングが用いられる。このＯリングは、２つのシール部材間に挟圧され、シール部材との接触部分が平坦状に弾性変形する。Ｏリングばかりでなく一般に用いられるパッキンは、長期の使用に亘ると高い弾性率を有するがため経年変化により、いわゆる“へたり”が生じ易い。
【０００５】
ドレンキャップとパッキンをドレン口から取外してメンテナンス作業を行い、作業終了後に再度取付ける場合、それまで使用していたパッキンが原型の断面形状に完全復帰できないことが多い。そのまま用いた場合、ドレンキャップの締め付けが多少でも弱いと、本来のシール性を得られずに水漏れする等の不具合が生じる。
【０００６】
そこで、経年変化が生じ難く、原型の断面形状に早期に復帰して水漏れを確実に防止でき、信頼性の向上を得られるパッキンを備えた空気調和機の室内機が求められている。
【課題を解決するための手段】
【０００７】
本実施形態によれば空気調和機の室内機は、筐体である室内機本体の内部に熱交換器を収容する。熱交換器の下部に、熱交換器で生成するドレン水を受けるドレンパンを設ける。ドレンパン内に集溜するドレン水を汲み上げて外部へ排出するドレンポンプを備える。ドレンパンの底面壁部位に、ドレンパンに残留するドレン水を排出するためのドレン口を設ける。ドレン口は、排水栓部材で開閉自在に閉塞する。排水栓部材とドレンパンの底面壁との間に、ドレン口と排水栓部材との間からのドレン水の漏れを防止するための断面が略Ｘ字状に形成されるパッキンを挟着する。パッキンは、断面の中心に沿って形成される基部と、この基部の周面から所定角度を存して４方向に一体に突設される辺部とからなる。辺部の左右相互間の角度αは、上下相互間の角度βよりも大（α＞β）に形成され、各辺部の先端は、断面半円状の頂部を有するとともに、断面斜め直状に形成される。
【図面の簡単な説明】
【０００８】
【図１】本実施の形態に係る、空気調和機の室内機を見上げた状態での斜視図。
【図２】同実施の形態に係る、化粧パネルを取外した室内機本体の底面図。
【図３】同実施の形態に係る、室内機本体一部の概略の断面図。
【図４】同実施の形態に係る、ドレンパン一部とドレンキャップの斜視図。
【図５】同実施の形態に係る、パッキンの平面図と、Ｂ−Ｂ線に沿う断面図。
【図６】同実施の形態に係る、パッキンの拡大した断面図。
【図７】同実施の形態に係る、ドレン口からドレンキャップを取外した状態の、それぞれ一部の斜視図。
【図８】同実施の形態に係る、ドレン口にドレンキャップを嵌め込んだ状態の、それぞれ一部の斜視図。
【発明を実施するための形態】
【０００９】
以下、本実施の形態を図面にもとづいて説明する。（なお、文中に符号の付していない構成部品および構成部位については図示していない。また、図の煩雑さを避けるために意図して構成部品および構成部位に符号を付していない場合もある）  
図１は、本実施の形態に係る天井埋込み型とした空気調和機の室内機を見上げた状態での斜視図。図２は、化粧パネルを取外した室内機本体の底面図である。
【００１０】
空気調和機の室内機は、天井板に設けられた取付け用開口部に室内側から挿入され、吊り下げボルト等を介して、いわゆる天井裏に吊持固定される室内機本体１と、この室内機本体１の下面部に取付けられ、天井板から室内側に露出する化粧パネル２とから構成される。
【００１１】
前記室内機本体１は、下面部が開口し、天板部と側面部に金属薄板を加工してなる板金製のケーシング３を備えている。このケーシング３の内周面は発泡スチロール材等からなる断熱材が取付けられ、内周面全面に亘って断熱材で覆われている。したがって、室内機本体１は断熱構造をなしている。
【００１２】
室内機本体１における下面開口部の略中央部に、ファンガードで保護された送風機５が配置される。この送風機５は、軸方向から空気を吸込んで周方向へ吹出す、いわゆる遠心ファン（「ターボファン」とも呼ばれる）を備えている。送風機５の上方部位が室内機本体１の天板部１ａで覆われ、下方部位が開口部となっているので、下面開口部が送風機５の吸込み側となる。
【００１３】
この送風機５の吹出し側である周囲を囲むようにして、平面視で略四角枠状の熱交換器６が配置される。前記熱交換器６の下部にはドレンパン７が設けられていて、冷房運転時に熱交換器６の熱交換作用にともなって生成されるドレン水をドレンパン７が受けるようになっている。
【００１４】
上記ドレンパン７は、上記室内機本体１の周壁に嵌め込まれていて、その外側の辺部に内側ヘ向って凹陥形成される凹陥部ａを有する。さらに、ドレンパン７は、一つの内角隅部のみが内径方向へ向って突出形成されていて、この突出部位のドレンパン７底面壁にドレン口８が設けられる。
【００１５】
上記ドレン口８は、メンテナンス時などドレンパン７に残留するドレン水や水垢状物質等（以下、これらを総称して、「ドレン水」と呼ぶ）を排出処理するための開口部である。ドレン口８は、後述する排水栓部材であるドレンキャップによって開閉自在に閉塞される。図１および図２は、ドレン口８からドレンキャップを取外した状態を示していて、開口されたドレン口８からドレンポンプ１０が見えている。
【００１６】
すなわち、ドレンポンプ１０はドレン口８の真上部位に設けられている。換言すれば、ドレンポンプ１０の直下部位にドレン口８が設けられていて、ドレンポンプ１０の中心軸がドレン口８の中心軸と一致するよう取付けられる。  
しかも、ドレン口８の直径はドレンポンプ１０の直径よりも大に形成されていて、ドレン口８からドレンポンプ１０の外周面が完全に見える。そのため、ドレンポンプ１０を取外すことにより、ドレンポンプ１０はドレン口８に対して挿通自在となっている。
【００１７】
上記ドレン口８の近傍部位で、かつドレンパン７の内側一部に沿って電気部品箱１１が設けられる。この電気部品箱１１は、室内機本体１内に収容されている電動部品を制御する電気部品や、リモコンに対する送受信をなす電気部品等を収容する。
【００１８】
前記ケーシング３の下面開口部は、図１のみに示す前記化粧パネル２によって閉成されている。この化粧パネル２は、たとえば合成樹脂材から成型されて美麗に仕上げられており、天井板から室内に対して露出し、室内機本体１周面と天井板の取付け用開口部との隙間を遮蔽する。
【００１９】
この化粧パネル２の略中央部には吸込み口１２が開口されていて、フィルタを備えた吸込みグリル１３によって開閉自在である。図１は吸込みグリル１３を開放して吸込み口１２を露出した状態を示している。図２は室内機本体１から化粧パネル２を取外した状態を示している。
【００２０】
なお説明すると、前記吸込み口１２は、送風機５および熱交換器６の内側部と対向する部位に開口していて、略矩形状をなしている。この吸込み口１２に前記吸込みグリル１３が着脱自在に取付けられる。  
前記吸込みグリル１３は、吸込み口１２における室内空気の流通を可能としながら、吸込み口１２からケーシング３内部に対する遮蔽をなす。メンテナンス時には、吸込みグリル１３を開放することでフィルタを取外すことができ、室内床上でのフィルタの掃除が可能である。
【００２１】
上記ドレンパン７に設けられるドレン口８は、ドレンパン７の一つの内角隅部に設けられるところから、上記吸込み口１２と対向する部位にある。また、化粧パネル２の各辺部に沿って吹出し口１５が設けられていて、これは室内機本体１側面壁とドレンパン７の凹陥部ａとで形成される隙間部に対向する。
【００２２】
化粧パネル２と送風機５との間にはベルマウス１６が設けられ、周囲を上記ドレンパン７で囲まれる。ベルマウス１６は、送風機５側が小径で、化粧パネル２の吸込み口１２側が大径のホーン状に形成される。一部は上記電気部品箱１１によって吸込み口１２に対して遮蔽されるが、送風案内の機能は保持している。
【００２３】
つぎに、ドレンポンプ１０の取付け構造について概略的に詳述する。  
図３は室内機一部の概略構成図である。  
上記ドレンポンプ１０は吸込み部１０ａを下部側であるドレン口８に向け、上端面がポンプ支持具１７に取付けられている。ドレン口８にドレンキャップ１８が嵌め込まれた状態で、ドレンポンプ１０の吸込み部１０ａ端面とドレンキャップ１８との間隔は極くわずかでしかなく、ドレンポンプ１０の下部側の略半分はドレンパン７内に位置する。
【００２４】
すなわち、ドレンポンプ１０の吸込み部１０ａはドレンパン７に集溜するドレン水内に完全に浸漬するよう支持される。ドレンポンプ１０を支持するポンプ支持具１７は、ポンプ支持部１７ａから直上部位へ延出される脚部１７ｂを備えていて、この脚部１７ｂの上端は室内機本体１を構成する天板部１ａに取付け固定される。
【００２５】
ドレンポンプ１０の裏面側には、吸込み部１０ａから吸込んだドレン水を吐出する吐出部が設けられていて、ここにドレンホース１９の一端部が接続される。ドレンホース１９は、吐出部からポンプ支持具１７の脚部１７ｂ間に巻回され、さらに上記熱交換器６の上端部と室内機本体天板部１ａとの間を越えて引き回される。
【００２６】
すなわち、室内機本体１の天板部１ａにおいて、ケーシング３の内面に取付けられる断熱材４の一部が凹陥形成されていて、この凹陥部ｂにドレンホース１９が挿通される。上記断熱材４に対する加工は必要であるが、凹陥部ｂを形成するだけなので、ほとんど工数に影響しない。また、熱交換器６の上端部に対して何らの加工も不要であり、工数への影響は全く無い。
【００２７】
上記熱交換器６は、その下端面がドレンパン７の底面壁に一体に設けられる突堤部ｄに載置される。一方で、熱交換器６の上端面は室内機本体１の天板部１ａに設けられる断熱材４に接触している。すなわち、熱交換器６は室内機本体天板部１ａとドレンパン７との間に、上下方向から挟持固定されている。
【００２８】
ただし、ドレンパン７において、熱交換器６を支持する突堤部ｄがドレンパン７の底面壁全周に亘って設けられていると、熱交換器６で生成されるドレン水が突堤部ｄの内側と外側に二分されてしまう。これに対して、上記ドレン口８とドレンポンプ１０は熱交換器６の内側部位に設けられている。
【００２９】
熱交換器６で生成され流下して突堤部ｄの内側に集溜するドレン水は、そのままドレン口８およびドレンポンプ１０に導かれるが、突堤部ｄの外側に集溜するドレン水はそこで溜ってしまい、突堤部ｄをオーバーフローしない限りドレン口８とドレンポンプ１０に導かれないこととなる。
【００３０】
そのため、突堤部ｄの少なくとも一箇所において、ある程度の長さ寸法をもって突堤部ｄが切欠加工される。すなわち、突堤部ｄが中断され、この中断部ｅにおいてドレンパン７の底面壁が露出する。これにより、熱交換器６から突堤部ｄの外側部位に流下したドレン水は、中断部ｅを介して内側部位に導かれ、ドレン口８もしくはドレンポンプ１０から排出されることになる。
【００３１】
次に、ドレン口８とドレンキャップ１８について詳述する。  
図４はドレン口８からドレンキャップ１８を取外した斜視図である。  
上記ドレン口８は、周面に沿って下方に一体に設けられる突部を有し、この突部の内周壁にねじ孔部である雌ねじ部ｆが設けられる。上記ドレンキャップ１８は、ドレン口８の直径よりも大なる直径の円形をなす鍔部１８ａと、この鍔部１８ａの一側面に突設され、外周壁に上記雌ねじ部ｆと螺合可能なねじ部である雄ねじ部ｇを備えている。
【００３２】
このことにより、ドレンキャップ１８の雄ねじ部ｇをドレン口８の雌ねじ部ｆに螺合締結することで、ドレンキャップ１８はドレン口８を閉塞する。いわゆる、スクリューキャップ構造を採用することとなり、水漏れのない確実な閉栓作業を行える。または、ドレンキャップ１８をドレン口８から螺脱し取外すことで、ドレン口８を完全開口できるようになっている。
【００３３】
ドレンキャップ１８の雄ねじ部ｇには、周方向に沿って複数のドレン排水用孔２２が互いに間隔を存して設けられている。一方、ドレン口８の雌ねじ部ｆには、上記ドレン排水用孔２２と略同一寸法、もしくは小さい寸法に開口されるドレン排水用溝２３が１ヶ所設けられる。
【００３４】
ドレン口８のドレン排水用溝２３は、ドレンキャップ１８がドレン口８を完全閉塞する位置ではドレン排水用孔２２に連通しない。ドレンキャップ１８を回動してドレン口８に対する完全閉塞が解け、さらにドレンキャップ１８をある程度開放したときドレン排水用孔２２がドレン排水用溝２３に連通する。したがって、ドレン排水用孔２２とドレン排水用溝２３を介してドレンパン７内のドレン水が排水される。
【００３５】
これらドレン排水用孔２２とドレン排水用溝２３が設けられておらず、単にドレン口８をドレンキャップ１８が開閉自在とする構成であると、ドレンキャップ１８をドレン口８から取外したとき、ドレン口８からドレン水が瞬時に、かつ大量に排出されてしまう。そのため、ドレン水を受けきれずに周囲を濡らす虞れがあるが、上述の構成では徐々に排水されるので、全てを受けることができて周囲を濡らすことはない。
【００３６】
上記パッキン２０は、ドレンキャップ１８の鍔部１８ａ上面に載置され、雄ねじ部ｇの周面にある程度の余裕をもって嵌め込まれる。次に、パッキン２０について詳述する。  
図５（Ａ）は、パッキン２０の平面図であり、図５（Ｂ）は図５（Ａ）のＢ−Ｂ線に沿う断面図である。図６は、パッキン２０の拡大した断面図である。
【００３７】
上記パッキン２０は、たとえばゴム組成物からなり、高いシール性を維持するため、弾性率の高い素材が採用される。パッキン２０は、図５（Ａ）に示すように、平面視で円形状をなす。パッキン２０の断面形状は、図５（Ｂ）および図６に示すように、略Ｘ字状に形成される。
【００３８】
具体的には、パッキン２０は上記略Ｘ字状断面の中心に沿って形成される基部２０ａと、この基部２０ａの周面から所定角度を存して４方向に一体に突設される辺部２０ｂとから構成される。ここで、左右斜め方向に突出する辺部２０ｂ相互間の角度αは、上下斜め方向に突出する辺部２０ｂ相互間の角度βよりも大（α＞β）に形成されている。
【００３９】
パッキン２０の左右斜め方向に突出する辺部２０ｂの一方側がドレンキャップ１８の鍔部１８ａ上に載置する。左右斜め方向に突出する辺部２０ｂの相互角度αを広く形成したので、ドレンキャップ１８をドレン口８に螺合する間でのパッキン２０の姿勢が変わらず、安定性が良い。しかも、各辺部２０ｂの先端は断面半円状に形成されていて、この頂部がドレンキャップ１８の鍔部１８ａに線接触状態で載置され、より安定性が良い。
【００４０】
パッキン２０の内周側の辺部２０ｂにおいて、それぞれの辺部２０ｂ先端に沿って突部２０ｃが一体に設けられる。この突部２０ｃも断面略半円状をなしていて、パッキン２０の内径側に突出する。そして、パッキン２０をドレンキャップ１８の鍔部１８ａに載置すると、突部２０ｃはドレンキャップ１８の外周壁である雄ねじ部ｇの基端に対向する。
【００４１】
また、上記パッキンは、全体高さ寸法Ｌに対して、断面の中心に沿って形成される基部２０ａの厚さ寸法Ｌａが、１／２〜１／３Ｌに形成されている。各辺部２０ｂの高さ寸法は、全体高さＬから基部２０ａの厚さ寸法Ｌａを差し引いた残りの、それぞれ半分の寸法になる。
【００４２】
このようにして構成された空気調和機の室内機において、送風機５が駆動されると室内空気が吸込みグリル１３と吸込み口１２を介し、ベルマウス１６に案内されて室内機本体１内に吸引される。室内空気は熱交換器６の一次側から熱交換器６を流通し、熱交換されてから二次側へ導出される。
【００４３】
そして、熱交換空気は吹出し口１５から室内へ吹出され、室内の空気調和をなす。特に冷房運転時には、熱交換器６の熱交換作用にともなってドレン水が生成され、ドレンパン７に滴下する。時間の経過とともにドレンパン７におけるドレン水の集溜量が増大し、水位が上昇する。
【００４４】
フロートスイッチがドレンパン７内のドレン水の水位を常時検知していて、ドレン水の水位が基準の最高水位を越えたことを検知すると、フロートスイッチは制御部へ検知信号を送る。制御部はドレンポンプ１０へ駆動信号を送り、ドレンポンプ１０はドレン水を吸上げドレンホース１９を介して外部へ排出する。
【００４５】
ドレンパン７に集溜されたドレン水は、ドレンパン７をオーバーフローすることなく円滑に排水される。ドレン水の水位が徐々に降下して最低基準水位にまで降下したことをフロートスイッチが検知すると、再び制御部へ検知信号が送られる。制御部はドレンポンプ１０に停止信号を送り、ドレン水の排水を停止させる。
【００４６】
メンテナンス作業時等で、ドレンパン７内に残留するドレン水を全て排出する場合は、ドレン口８からドレンキャップ１８を取外す。  
つぎに、ドレン口８に対するパッキン２０を備えたドレンキャップ１８の開閉操作について詳述する。  
図７は、ドレン口８からドレンキャップ１８を取外してドレン口８を開放した状態を示す、ドレン口８とドレンキャップ１８の一部斜視図。図８は、ドレン口８をドレンキャップ１８で閉塞した状態を示す、ドレン口８とドレンキャップ１８の一部斜視図である。
【００４７】
上述したように、ドレンパン７の底面壁にはドレンポンプ１０のメンテナンス等でドレンパン７に残留するドレン水を排出するためのドレン口８が設けられている。このドレン口８は内周壁に雌ねじ部ｆを備え、かつドレン排水用溝２３が１ヶ所設けられる。
【００４８】
これに対してドレンキャップ１８は鍔部１８ａと雄ねじ部ｇを備えていて、鍔部１８ａ上には断面が略Ｘ字状に形成されるパッキン２０が載置される。雄ねじ部ｇには所定間隔を存して複数のドレン排水用孔２２が設けられる。  
図７に示すように、パッキン２０の左右斜め方向に突出する下部側の辺部２０ｂがドレンキャップ鍔部１８ａ上に載置され、パッキン２０の内周側の上下斜め方向に突出する辺部２０ｂの先端がドレンキャップ１８の雄ねじ部ｇ基端に余裕をもって嵌め込まれる。
【００４９】
パッキン２０の内周側の上下斜め方向に突出する辺部２０ｂの先端には突部２０ｃが設けられていて、これら突部２０ｃはドレンキャップ１８の雄ねじ部ｇ基端に対向する。突部２０ｃをパッキン２０の内周側の辺部２０ｂに設けたので、パッキン２０を上下反転してドレンキャップ１８の鍔部１８ａ上に載置しても、何らの支障もない。すなわち、パッキン２０の取付け方向を定める必要がないので、作業性が向上する。
【００５０】
さらに、ドレンキャップ１８の鍔部１８ａに最も近い雄ねじ部ｇ基端には、周方向に沿って凹部２５が設けられる。この凹部２５は断面半円状に形成され、上記パッキン２０の辺部２０ｂに一体に設けられる突部２０ｃと嵌合可能な寸法形状をなしている。  
図８に示すように、ドレンキャップ１８をドレン口８に対向してから、ドレンキャップ雄ねじ部ｇをドレン口雌ねじ部ｆに合せ、ドレンキャップ１８を回動操作する。パッキン２０は、下部側の左右辺部２０ｂがドレンキャップ１８の鍔部１８ａ上に載置される状態を保持したまま、上部側の左右辺部２０ｂがドレンパン７の底面壁に接触する。
【００５１】
さらにドレンキャップ１８を回動操作すると、ドレンキャップ鍔部１８ａとドレンパン７底面壁との間隔が徐々に狭まる。パッキン２０は上部側と下部側の左右辺部２０ｂが押圧力を受け、左右辺部２０ｂ相互の間隔が広がるよう弾性変形をなす。  
これにともない、パッキン２０の内周側に形成される辺部２０ｂのうちの、特に下部側の辺部２０ｂ先端に設けられる突部２０ｃが、ドレンキャップ雄ねじ部ｇ基端に設けられる凹部２５に侵入していく。
【００５２】
ドレンキャップ１８を完全に締め切った状態で、パッキン２０の上部側と下部側の左右辺部２０ｂが最大限広がり、かつ互いに接触する。もしくは、互いにほとんど接触する位置まで近接する。同時に、下部側辺部２０ｂ先端の突部２０ｃがドレンキャップ雄ねじ部ｇ基端の凹部２５に嵌め込まれる。
【００５３】
このように、断面が略Ｘ字状をなすパッキン２０がドレンキャップ鍔部１８ａとドレンパン７底面壁との間に挟着された状態で、パッキン２０の上部側と下部側の左右辺部２０ｂがドレンキャップ鍔部１８ａとドレンパン７底面壁に密に接触して、ドレン口８とドレンキャップ１８との間からの水漏れを完全防止し、信頼性の向上を得られる。
【００５４】
ドレンキャップ１８のドレン口８に対するねじ込みが多少弱い場合、あるいは長期の使用に亘るところから自然的にドレンキャップ１８のねじ込み状態が緩んでも、パッキン２０の断面形状が略Ｘ字状をなしているところから、左右の辺部２０ｂ相互が弾性復帰して元の角度αに戻ろうとする。すなわち、パッキン２０のシール性が確保される。
【００５５】
そして、この状態でパッキン２０に設けられる突部２０ｃがドレンキャップ１８に設けられる凹部２５に嵌り込むことで、パッキン２０のドレンキャップ１８に対するシール性のさらなる向上を図ることができ、より高い信頼性が得られる。  
上記パッキン２０の全体高さ寸法Ｌに対して、断面の中心に沿って形成される基部２０ａの厚さ寸法Ｌａを、１／２〜１／３Ｌに形成したから、パッキン２０がドレンキャップ鍔部１８ａとドレンパン７の底面壁との間に挟着された状態で、パッキン２０としての必要厚さを確保できて、シール性が確保される。
【００５６】
たとえば、パッキン２０の全体高さ寸法Ｌに対して基部２０ａの厚さ寸法Ｌａを１／２よりも大に設定すると、パッキン２０に対する必要な締め付け厚さがとれずに、不安定なシール状態となる。  
また、パッキン２０の全体高さ寸法Ｌに対して基部２０ａの厚さ寸法Ｌａを１／３よりも小に設定すると、ドレンキャップ１８の締付けを過度にしなければならず、やはり不安定なシール状態となる。以上は、繰り返し行った実験結果から導き出されたものである。
【００５７】
ドレンポンプ１０に対するメンテナンス作業時には、ドレンキャップを逆方向に回動操作して、ドレン口８から取外す。ドレンキャップ１８の鍔部１８ａに載置した状態でパッキン２０も取外される。パッキン２０に対する押圧力が解消されるので、再び元の断面略Ｘ字状に早期に復帰する。
【００５８】
メンテナンス作業終了後に再びドレンキャップ１８をドレン口８にねじ込むと、パッキン２０は上述したように弾性変形してシールをなす。たとえ長期の使用に亘ったものであっても、断面形状から経年変化の影響がなく、充分なシール性を確保し、信頼性を得られる。
【００５９】
さらに加えて、ドレンキャップ１８をドレン口８にねじ込む構造としたこと、パッキン２０の辺部２０ｂに突部２０ｃを設けてドレンキャップ１８に設けた凹部２５に嵌り込むようにしたこと、およびパッキン２０全体高さＬに対する基部２０ａ厚さ寸法Ｌａの設定等の条件から、より確実なシールをなし、信頼性のさらなる向上に寄与する。
【００６０】
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００６１】
１…室内機本体、６…熱交換器、７…ドレンパン、１０…ドレンポンプ、８…ドレン口、１８…ドレンキャップ（排水栓部材）、２０…パッキン、２０ａ…（パッキンの）基部、２０ｂ…（パッキンの）辺部。
【図１】
0005470419.tif 000002
【図２】
0005470419.tif 000003
【図３】
0005470419.tif 000004
【図４】
0005470419.tif 000005
【図５】
0005470419.tif 000006
【図６】
0005470419.tif 000007
【図７】
0005470419.tif 000008
【図８】
0005470419.tif 000009